(57)【要約】【課題】長期信頼性の確保が可能な電気光学装置の駆動方法、電気光学装置の駆動装置、電気光学装置、及び電子機器等を提供する。【解決手段】画素電極６２と、対向電極６４と、画素電極６２及び対向電極６４の間に設けられ複数の電気泳動粒子１７４，１７６を有する電気泳動素子６６とを含む電気泳動表示装置１０の駆動方法は、色設定ステップ（ステップＳ３）と、ＤＣリセットステップ（ステップＳ４）とを含む。色設定ステップでは、１又は複数種類の駆動電圧を画素電極６２及び対向電極６４間に印加して複数の電気泳動粒子１７４，１７６を第１の状態に設定する。ＤＣリセットステップでは、色設定ステップにおける駆動電圧及び駆動時間の積分値をリセットする駆動電圧を画素電極６２及び対向電極６４間に印加する。【選択図】図６
2014174516.tif 000002
【特許請求の範囲】
【請求項１】
第１の電極と、第２の電極と、前記第１の電極及び前記第２の電極の間に設けられ複数の電気泳動粒子を有する電気泳動素子とを含む電気光学装置の駆動方法であって、
１又は複数種類の駆動電圧を前記第１の電極及び前記第２の電極間に印加して前記複数の電気泳動粒子を第１の状態に設定する状態設定ステップと、
前記状態設定ステップにおける駆動電圧及び駆動時間の積分値をリセットする駆動電圧を前記第１の電極及び前記第２の電極間に印加するＤＣリセットステップとを含むことを特徴とする電気光学装置の駆動方法。
【請求項２】
前記状態設定ステップにおける駆動電圧及び駆動時間の積分値をＷ１、前記ＤＣリセットステップにおける駆動電圧及び駆動時間の積分値をＷ２としたとき、Ｗ２＝−Ｗ１であることを特徴とする請求項１に記載の電気光学装置の駆動方法。
【請求項３】
前記ＤＣリセットステップは、
前記状態設定ステップにおける前記１又は複数種類の駆動電圧の印加順序と逆の順序で、各駆動電圧の極性を反転した駆動電圧を前記第１の電極及び前記第２の電極間に印加することを特徴とする請求項１又は２に記載の電気光学装置の駆動方法。
【請求項４】
前記ＤＣリセットステップは、
前記状態設定ステップにおける前記１又は複数種類の駆動電圧の印加順序と同じ順序で、各駆動電圧の極性を反転した駆動電圧を前記第１の電極及び前記第２の電極間に印加することを特徴とする請求項１又は２に記載の電気光学装置の駆動方法。
【請求項５】
前記ＤＣリセットステップは、
次のフレーム期間の状態設定ステップの直前に行われることを特徴とする請求項１乃至４のいずれか一項に記載の電気光学装置の駆動方法。
【請求項６】
前記ＤＣリセットステップの後に、輝度をリセットする輝度リセットステップを含むことを特徴とする請求項１乃至５のいずれか一項に記載の電気光学装置の駆動方法。
【請求項７】
前記輝度リセットステップは、
第１の期間にわたって第１の極性の第１の駆動電圧を前記第１の電極及び前記第２の電極間に印加した後、前記第１の期間にわたって前記第１の極性と反対の第２の極性の前記第１の駆動電圧を前記第１の電極及び前記第２の電極間に印加することを特徴とする請求項６に記載の電気光学装置の駆動方法。
【請求項８】
前記複数の電気泳動粒子は、互いに閾値が異なる電気泳動粒子であることを特徴とする請求項１乃至７のいずれか一項に記載の電気光学装置。
【請求項９】
第１の電極と、第２の電極と、前記第１の電極及び前記第２の電極の間に設けられ複数の電気泳動粒子を有する電気泳動素子とを含む電気光学装置の駆動装置であって、
１又は複数種類の駆動電圧を前記第１の電極及び前記第２の電極間に印加して前記複数の電気泳動粒子を第１の状態に設定する状態設定手段と、
前記状態設定手段によって印加された駆動電圧及び駆動時間の積分値をリセットする駆動電圧を前記第１の電極及び前記第２の電極間に印加するＤＣリセット手段とを含むことを特徴とする電気光学装置の駆動装置。
【請求項１０】
前記ＤＣリセット手段は、
前記状態設定手段による前記１又は複数種類の駆動電圧の印加順序と逆の順序で、各駆動電圧の極性を反転した駆動電圧を前記第１の電極及び前記第２の電極間に印加することを特徴とする請求項９に記載の電気光学装置の駆動装置。
【請求項１１】
前記ＤＣリセット手段は、
前記状態設定手段による前記１又は複数種類の駆動電圧の印加順序と同じ順序で、各駆動電圧の極性を反転した駆動電圧を前記第１の電極及び前記第２の電極間に印加することを特徴とする請求項９に記載の電気光学装置の駆動装置。
【請求項１２】
前記第１の電極と、
前記第２の電極と、
前記第１の電極及び前記第２の電極の間に設けられ複数の電気泳動粒子を有する電気泳動素子と、
請求項９乃至１１のいずれか一項に記載の電気光学装置の駆動装置とを含むことを特徴とする電気光学装置。
【請求項１３】
請求項１２に記載の電気光学装置を含むことを特徴とする電子機器。
【発明の詳細な説明】
【技術分野】
【０００１】
本発明は、電気光学装置の駆動方法、電気光学装置の駆動装置、電気光学装置、及び電子機器等に関する。
【背景技術】
【０００２】
従来、この種の電気光学装置の一例として、電気泳動表示装置が知られている。電気泳動表示装置は、着色された電気泳動粒子を含む電気泳動素子を画素電極及び対向電極の間に挟み込んだ構成を有し、両電極間に電圧を印加して電気泳動粒子を泳動させることで画像を表示する。このとき、電気泳動表示装置において、例えば互いに異なる色に着色された電気泳動粒子を色毎に独立に制御して泳動させると、表示される画像の色の変更が可能となる。電気泳動素子は、例えば各々が複数の電気泳動粒子を含む複数のマイクロカプセルにより構成され、画素電極及び対向電極間に封入される。
【０００３】
このような電気泳動表示装置に関する技術について、例えば特許文献１、及び非特許文献１に開示されている。
特許文献１には、画素データの遷移に対応した駆動波形データをルックアップテーブルの形式で保持し、現画像の画像データと次画像の画像データとの比較結果に対応した駆動波形データを当該ルックアップテーブルから呼び出し、該駆動波形データに基づいて当該画素を駆動する手法が開示されている。
非特許文献１には、画素の駆動に先立って、互いに異なる閾値を有するすべての電気泳動粒子を画像表示側の電極に引き寄せて輝度をリセットした後、各色の電気泳動粒子を所望の電極側に引き寄せて画素の色を表示する手法が開示されている。
【先行技術文献】
【特許文献】
【０００４】
【特許文献１】特開２００９−２５８７３５号公報
【非特許文献】
【０００５】
【非特許文献１】N.Hiji， “Novel Color Electrophoretic E-Paper Using Independently Movable Colored Particles”，SID2012 8.4
【発明の概要】
【発明が解決しようとする課題】
【０００６】
しかしながら、特許文献１に開示された手法では、各画素の階調が増えるほど、現画像の画像データと次画像の画像データとの組み合わせが増え、ルックアップテーブルに予め記憶させる駆動波形データの量が膨大になるという問題がある。例えば、１画素当たりＲ，Ｇ，Ｂの各色成分を４ビットで表現する場合、２４×２４×２４＝４，０９６階調の表現が可能となる。そのため、ルックアップテーブルには、現画像の階調×次画像の階調＝４，０９６×４，０９６＝１６，７７７，２１６通りの参照アドレスが必要になる。
【０００７】
この点、非特許文献１に開示された手法では、画素の駆動に先立って輝度をリセットするため、現画像の階調を１階調に限定することができ、ルックアップテーブルを参照するための参照アドレスを大幅に削減することができる。例えば、１画素当たりＲ，Ｇ，Ｂの各色成分を４ビットで表現する場合、ルックアップテーブルには、現画像の階調×次画像の階調＝１×４，０９６＝４，０９６通りの参照アドレスがあればよい。
【０００８】
ところが、非特許文献１に開示された手法では、輝度をリセットする際に、電気泳動粒子に印加される電圧と時間の積分値のバランス（ＤＣバランス）が崩れてしまうという問題がある。ＤＣバランスが保たれた電気泳動粒子とは異なり、ＤＣバランスが正側や負側にずれた電気泳動粒子の泳動は、印加電圧の極性依存等により、電気泳動粒子の意図しない動きを招く。そのため、ＤＣバランスが崩れた状態で画素の駆動を繰り返していくと、規定した駆動波形データを用いて画素の色を表示しようとしても、色ずれが見えてしまう等の長期信頼性に悪影響を及ぼすという問題がある。
【０００９】
本発明は、以上のような技術的課題に鑑みてなされたものである。本発明の幾つかの態様によれば、長期信頼性の確保が可能な電気光学装置の駆動方法、電気光学装置の駆動装置、電気光学装置、及び電子機器等を提供することができる。
【課題を解決するための手段】
【００１０】
（１）本発明の第１の態様は、第１の電極と、第２の電極と、前記第１の電極及び前記第２の電極の間に設けられ複数の電気泳動粒子を有する電気泳動素子とを含む電気光学装置の駆動方法が、１又は複数種類の駆動電圧を前記第１の電極及び前記第２の電極間に印加して前記複数の電気泳動粒子を第１の状態に設定する状態設定ステップと、前記状態設定ステップにおける駆動電圧及び駆動時間の積分値をリセットする駆動電圧を前記第１の電極及び前記第２の電極間に印加するＤＣリセットステップとを含む。
【００１１】
本態様においては、複数の電気泳動粒子を有する電気泳動素子を含む電気光学装置において、１又は複数種類の駆動電圧を印加して複数の電気泳動粒子を第１の状態に設定した後、ＤＣリセットステップを設けるようにしている。ＤＣリセットステップでは、第１の状態に設定した際に複数の電気泳動粒子に印加された駆動電圧及び駆動時間の積分値をリセットする駆動電圧を、第１の電極及び第２の電極間に与える。これにより、第１の状態に設定した後に崩れる電気泳動粒子のＤＣバランスを保つことができるようになり、印加電圧の極性依存等に起因した電気泳動粒子の意図しない動きを招くことなく、長期信頼性を確保することができる。
【００１２】
（２）本発明の第２の態様に係る電気光学装置の駆動方法は、第１の態様において、前記状態設定ステップにおける駆動電圧及び駆動時間の積分値をＷ１、前記ＤＣリセットステップにおける駆動電圧及び駆動時間の積分値をＷ２としたとき、Ｗ２＝−Ｗ１である。
【００１３】
本態様においては、ＤＣリセットステップにおける駆動電圧及び駆動時間の積分値が、状態設定ステップにおける駆動電圧及び駆動時間の積分値と同じ値で、且つ、極性が反転となるようにしている。これにより、上記の効果に加えて、ＤＣリセットステップ後にＤＣバランスを確実に保つ状態とすることができる。
【００１４】
（３）本発明の第３の態様に係る電気光学装置の駆動方法では、第１の態様又は第２の態様において、前記ＤＣリセットステップは、前記状態設定ステップにおける前記１又は複数種類の駆動電圧の印加順序と逆の順序で、各駆動電圧の極性を反転した駆動電圧を前記第１の電極及び前記第２の電極間に印加する。
【００１５】
本態様においては、ＤＣリセットステップにおいて、状態設定ステップにおける駆動電圧の印加電圧と逆の順序で、且つ、各駆動電圧の極性を反転した駆動電圧を第１の電極及び第２の電極間に印加する。これにより、上記の効果に加えて、簡素な駆動制御により、電気泳動粒子のＤＣバランスを０に戻すことができる。
【００１６】
（４）本発明の第４の態様に係る電気光学装置の駆動方法では、第１の態様又は第２の態様において、前記ＤＣリセットステップは、前記状態設定ステップにおける前記１又は複数種類の駆動電圧の印加順序と同じ順序で、各駆動電圧の極性を反転した駆動電圧を前記第１の電極及び前記第２の電極間に印加する。
【００１７】
本態様においては、ＤＣリセットステップにおいて、状態設定ステップにおける駆動電圧の印加電圧と同じ順序で、且つ、各駆動電圧の極性を反転した駆動電圧を第１の電極及び第２の電極間に印加する。これにより、上記の効果に加えて、簡素な駆動制御により、電気泳動粒子のＤＣバランスを０に戻すことができる。
【００１８】
（５）本発明の第５の態様に係る電気光学装置の駆動方法では、第１の態様乃至第４の態様のいずれか１つの態様において、前記ＤＣリセットステップは、次のフレーム期間の状態設定ステップの直前に行われる。
【００１９】
本態様によれば、ＤＣバランスが崩れた状態で電気泳動粒子の状態の設定を行うことを確実に防止し、長期信頼性を確保することができるようになる。
【００２０】
（６）本発明の第６の態様に係る電気光学装置の駆動方法は、第１の態様乃至第５の態様のいずれか１つの態様において、前記ＤＣリセットステップの後に、輝度をリセットする輝度リセットステップを含む。
【００２１】
本態様においては、ＤＣリセットステップ後に輝度リセットステップを設けるようにしている。これにより、ＤＣバランスが保たれた状態で輝度をリセットすることができるため、上記の効果に加えて、画素の書き換えの際に参照されるルックアップテーブルの規模を大幅に小さくすることができる。
【００２２】
（７）本発明の第７態様に係る電気光学装置の駆動方法では、第６の態様において、前記輝度リセットステップは、第１の期間にわたって第１の極性の第１の駆動電圧を前記第１の電極及び前記第２の電極間に印加した後、前記第１の期間にわたって前記第１の極性と反対の第２の極性の前記第１の駆動電圧を前記第１の電極及び前記第２の電極間に印加する。
【００２３】
本態様においては、輝度リセットステップにおいて、同一の長さの期間にわたって、互いに極性が異なる第１の駆動電圧を第１の電極及び第２の電極間に印加する。これにより、第１の電極及び第２の電極の一方に電気泳動粒子を確実に引き寄せた後、第１の電極及び第２の電極の他方に電気泳動粒子を確実に引き寄せることができる。従って、輝度リセットステップでは、画素の輝度を確実に所定の状態に設定することができる。
【００２４】
（８）本発明の第８の態様に係る電気光学装置の駆動方法では、第１の態様乃至第７の態様のいずれか１つの態様において、前記複数の電気泳動粒子は、互いに閾値が異なる電気泳動粒子である。ここで、閾値とは、駆動電圧を変化させたときに電気泳動粒子の移動度が大きく変化するときの目安となる駆動電圧値のことである。
【００２５】
本態様によれば、電気泳動粒子の泳動を開始する閾値を異ならせるようにしたので、駆動電圧値に応じて、泳動させる電気泳動粒子を、閾値毎に独立して制御することができるようになる。このように、独立して制御可能な電気泳動粒子により種々の色や階調を表示する際にＤＣバランスが崩れてしまう場合であっても、ＤＣバランスを保ち、色ずれが見えてしまう等の影響がなく、長期信頼性を確保することができる。
【００２６】
（９）本発明の第９の態様は、第１の電極と、第２の電極と、前記第１の電極及び前記第２の電極の間に設けられ複数の電気泳動粒子を有する電気泳動素子とを含む電気光学装置の駆動装置が、１又は複数種類の駆動電圧を前記第１の電極及び前記第２の電極間に印加して前記複数の電気泳動粒子を第１の状態に設定する状態設定手段と、前記状態設定手段によって印加された駆動電圧及び駆動時間の積分値をリセットする駆動電圧を前記第１の電極及び前記第２の電極間に印加するＤＣリセット手段とを含む。
【００２７】
本態様においては、複数の電気泳動粒子を有する電気泳動素子を含む電気光学装置において、１又は複数種類の駆動電圧を印加して複数の電気泳動粒子を第１の状態に設定した後、ＤＣリセット手段により、ＤＣリセットを行うようにしている。ＤＣリセット手段は、第１の状態に設定した際に複数の電気泳動粒子に印加された駆動電圧及び駆動時間の積分値をリセットする駆動電圧を、第１の電極及び第２の電極間に与える。これにより、第１の状態に設定した後に崩れる電気泳動粒子のＤＣバランスを保つことができるようになり、印加電圧の極性依存等に起因した電気泳動粒子の意図しない動きを招くことなく、長期信頼性を確保することができる。
【００２８】
（１０）本発明の第１０の態様に係る電気光学装置の駆動装置では、第９の態様において、前記ＤＣリセット手段は、前記状態設定手段による前記１又は複数種類の駆動電圧の印加順序と逆の順序で、各駆動電圧の極性を反転した駆動電圧を前記第１の電極及び前記第２の電極間に印加する。
【００２９】
本態様においては、ＤＣリセット手段が、状態設定手段による駆動電圧の印加電圧と逆の順序で、且つ、各駆動電圧の極性を反転した駆動電圧を第１の電極及び第２の電極間に印加する。これにより、上記の効果に加えて、簡素な駆動制御により、電気泳動粒子のＤＣバランスを０に戻すことができる。
【００３０】
（１１）本発明の第１１の態様に係る電気光学装置の駆動装置では、第９の態様において、前記ＤＣリセット手段は、前記状態設定手段による前記１又は複数種類の駆動電圧の印加順序と同じ順序で、各駆動電圧の極性を反転した駆動電圧を前記第１の電極及び前記第２の電極間に印加する。
【００３１】
本態様においては、ＤＣリセット手段が、状態設定手段による駆動電圧の印加電圧と同じ順序で、且つ、各駆動電圧の極性を反転した駆動電圧を第１の電極及び第２の電極間に印加する。これにより、上記の効果に加えて、簡素な駆動制御により、電気泳動粒子のＤＣバランスを０に戻すことができる。
【００３２】
（１２）本発明の第１２の態様は、電気光学装置が、前記第１の電極と、前記第２の電極と、前記第１の電極及び前記第２の電極の間に設けられ複数の電気泳動粒子を有する電気泳動素子と、第９の態様乃至第１１の態様のいずれか１つの態様に記載の電気光学装置の駆動装置とを含む。
【００３３】
本態様によれば、第１の状態に設定した後に崩れる電気泳動粒子のＤＣバランスを保つことができるようになり、電気光学装置の長期信頼性を確保する電気光学装置の駆動装置を提供することができる。
【００３４】
（１３）本発明の第１３の態様は、電子機器が、第１２の態様に記載の電気光学装置を含む。
【００３５】
本態様によれば、第１の状態に設定した後に崩れる電気泳動粒子のＤＣバランスを保ち、長期信頼性を確保した電気光学装置が適用された電子機器を提供することができる。これにより、電子機器の長期信頼性を確保することも可能となる。
【図面の簡単な説明】
【００３６】
【図１】本発明の第１の実施形態における電気泳動表示装置の構成例のブロック図。
【図２】図１の画素の電気的な構成の等価回路の一例を示す図。
【図３】第１の実施形態における電気泳動素子を構成するマイクロカプセルの構成の概要を示す図。
【図４】第１の実施形態の電気泳動表示装置の動作説明図。
【図５】第１の実施形態の電気泳動表示装置の動作説明図。
【図６】第１の実施形態における電気泳動表示装置の駆動方法のフローの一例を示す図。
【図７】第１の実施形態における電気泳動表示装置の駆動シーケンスの一例を示す図。
【図８】第１の実施形態における電気泳動表示装置の駆動シーケンスの他の例を示す図。
【図９】第２の実施形態における電気泳動素子を構成するマイクロカプセルの構成の概要を示す図。
【図１０】第２の実施形態における電気泳動粒子の閾値の説明図。
【図１１】第２の実施形態の電気泳動表示装置の動作説明図。
【図１２】第２の実施形態の電気泳動表示装置の動作説明図。
【図１３】第２の実施形態の電気泳動表示装置の動作説明図。
【図１４】第２の実施形態における電気泳動表示装置の駆動シーケンスの一例を示す図。
【図１５】第２の実施形態における電気泳動表示装置の駆動シーケンスの他の例を示す図。
【図１６】第３の実施形態における電気泳動素子を構成するマイクロカプセルの構成の概要を示す図。
【図１７】第３の実施形態における電気泳動粒子の閾値の説明図。
【図１８】第３の実施形態の電気泳動表示装置の動作説明図。
【図１９】第３の実施形態の電気泳動表示装置の動作説明図。
【図２０】第３の実施形態の電気泳動表示装置の動作説明図。
【図２１】第３の実施形態の電気泳動表示装置の動作説明図。
【図２２】第３の実施形態における電気泳動表示装置の駆動シーケンスの一例を示す図。
【図２３】第３の実施形態における電気泳動表示装置の駆動シーケンスの他の例を示す図。
【図２４】第１の実施形態〜第３の実施形態のいずれかの電気泳動表示装置を含む電子機器の構成例のブロック図。
【発明を実施するための形態】
【００３７】
以下、本発明の実施の形態について図面を用いて詳細に説明する。なお、以下に説明する実施の形態は、特許請求の範囲に記載された本発明の内容を不当に限定するものではない。また以下で説明される構成のすべてが本発明の課題を解決するために必須の構成要件であるとは限らない。
【００３８】
〔電気光学装置〕
以下の実施形態では、本発明に係る電気光学装置の一例として、アクティブマトリクス駆動方式の電気泳動表示装置について説明するが、本発明に係る電気光学装置は、アクティブマトリクス駆動方式の電気泳動表示装置に限定されるものではない。
【００３９】
１．  第１の実施形態
図１に、本発明の第１の実施形態に係る電気光学装置としての電気泳動表示装置の構成例のブロック図を示す。
【００４０】
第１の実施形態における電気泳動表示装置１０は、各画素にメモリー性を有する表示素子を備え、表示状態の更新を行わない状態において従前の表示状態を保持する性質を有する。このような電気泳動表示装置１０は、画素領域１２と、コントローラー２０と、走査線駆動回路３０と、データ線駆動回路４０と、共通電極駆動回路５０とを備えている。走査線駆動回路３０、データ線駆動回路４０、及び共通電極駆動回路５０の一部又は全部は、電気泳動表示装置１０の駆動装置として機能する。また、図１の画素領域１２の部分を電気泳動表示装置とし、この電気泳動表示装置の外部に、コントローラー２０と、走査線駆動回路３０と、データ線駆動回路４０と、共通電極駆動回路５０とが設けられていてもよい。
【００４１】
画素領域１２は、ｍ（ｍは２以上の整数）行×ｎ（ｎは２以上の整数）列にマトリクス状に配列された複数の画素Ｐ１１〜Ｐｎ１，Ｐ１２〜Ｐｎ２，・・・，Ｐ１ｍ〜Ｐｎｍを有する。複数の画素Ｐ１１〜Ｐｎ１，Ｐ１２〜Ｐｎ２，・・・，Ｐ１ｍ〜Ｐｎｍを構成する各画素は、同一の構成を有する。この画素領域１２には、走査線Ｙ１〜Ｙｍと、データ線Ｘ１〜Ｘｎとが互いに交差するように配置されている。具体的には、画素領域１２には、Ｘ方向に延伸しＹ方向に並ぶｍ本の走査線Ｙ１〜Ｙｍが設けられ、Ｙ方向に延伸しＸ方向に並ぶｎ本のデータ線Ｘ１〜Ｘｎが設けられる。各画素は、各走査線と各データ線との交差に対応して配置される。
【００４２】
コントローラー２０は、走査線駆動回路３０、データ線駆動回路４０、及び共通電極駆動回路５０の動作を制御する。具体的には、コントローラー２０は、所望の表示状態を実現するために、走査線駆動回路３０、データ線駆動回路４０、及び共通電極駆動回路５０に対して、クロック信号、スタートパルス信号等のタイミング信号を供給する。
【００４３】
走査線駆動回路３０は、コントローラー２０からの制御によって、所定のフレーム期間内に、走査線Ｙ１，Ｙ２，・・・，Ｙｍの各々にパルス信号である走査信号を順次供給する。
【００４４】
データ線駆動回路４０は、コントローラー２０からの制御によって、データ線Ｘ１，Ｘ２，・・・，Ｘｎの各々にデータ電圧を供給する。データ電圧は、基準電圧「ＧＮＤ」（例えば０ボルト）、高電位側電圧「ＶＳＨ」（例えば＋１５ボルト）、及び低電位側電圧「−ＶＳＨ」（例えば−１５ボルト）のいずれかである。
【００４５】
共通電極駆動回路５０は、各画素の対向電極に電気的に接続される共通電極線５２に、共通電圧Ｖｃｏｍ（例えば基準電圧「ＧＮＤ」と同電位の電圧）を供給する。共通電圧Ｖｃｏｍは、対向電極と基準電圧「ＧＮＤ」が供給された画素電極との間の電圧が実質的に同電位となる範囲であれば、基準電圧「ＧＮＤ」とは異なる電圧であってもよい。例えば、共通電圧Ｖｃｏｍは、他の信号線や電極等との交流結合による画素電極の電位変動を考慮して、画素電極に供給される基準電圧「ＧＮＤ」とは異なる値であってもよい。
【００４６】
図２に、図１の画素の電気的な構成の等価回路の一例を示す。図２において、図１と同様の部分には同一符号を付し、適宜説明を省略する。図１の画素Ｐ１１〜Ｐｎ１，Ｐ１２〜Ｐｎ２，・・・，Ｐ１ｍ〜Ｐｎｍを構成する各画素は同様の構成を有するため、以下では画素Ｐ１１について説明する。
【００４７】
画素Ｐ１１は、スイッチングトランジスター６０と、画素電極６２と、対向電極６４と、電気泳動素子（電気光学素子）６６と、保持容量６８とを備えている。
【００４８】
スイッチングトランジスター６０は、例えばＮ型の金属酸化膜半導体（Metal Oxide Semiconductor：ＭＯＳ）トランジスターにより構成される。このスイッチングトランジスター６０において、ゲートは走査線Ｙ１に電気的に接続され、ソースはデータ線Ｘ１に電気的に接続され、ドレインは画素電極６２及び保持容量６８の一端に電気的に接続される。このようなスイッチングトランジスター６０は、走査線Ｙ１を介して供給される走査信号に対応したタイミングで、データ線Ｘ１を介して供給されるデータ電圧を画素電極６２及び保持容量６８の一端に出力する。
【００４９】
画素電極６２は、第１の電極として、電気泳動素子６６を介して対向電極６４と互いに対向するように配置される。画素電極６２には、データ線Ｘ１及びスイッチングトランジスター６０を介してデータ電圧が供給される。
【００５０】
対向電極６４は、第２の電極として、共通電圧Ｖｃｏｍが供給される共通電極線５２に電気的に接続される。画素Ｐ１１〜Ｐｎ１，Ｐ１２〜Ｐｎ２，・・・，Ｐ１ｍ〜Ｐｎｍを構成する各画素が有する対向電極は、同電位となる。対向電極６４は、例えばマグネシウム銀（ＭｇＡｇ）、インジウム・スズ酸化膜（ＩＴＯ）、インジウム・亜鉛酸化物（ＩＺＯ）等の透明導電材料から形成され、対向電極６４側に画像が表示される。
【００５１】
電気泳動素子６６は、画素電極６２と対向電極６４との間に設けられ、電気泳動層を形成する。電気泳動素子６６は、帯電され、且つ、着色された複数の電気泳動粒子を各々が含んで構成される複数のマイクロカプセル（広義にはセル）により構成される。即ち、電気泳動表示装置１０は、マイクロカプセル型の電気泳動表示装置である。
【００５２】
保持容量６８は、誘電体膜を介して対向配置された一対の電極を備えた構成を有する。一方の電極は、スイッチングトランジスター６０のドレイン及び画素電極６２に電気的に接続され、他方の電極は、共通電極線５２に電気的に接続される。このような保持容量６８は、画素電極６２に供給されるデータ電圧を所定期間だけ保持することができる。
【００５３】
図３に、第１の実施形態における電気泳動素子６６を構成するマイクロカプセルの構成の概要を示す。
【００５４】
第１の実施形態におけるマイクロカプセル７０は、無着色で粘性を有する溶媒７２と、正に帯電され黒色に着色された複数の電気泳動粒子７４と、負に帯電され白色に着色された複数の電気泳動粒子７６とを有する。電気泳動粒子７４，７６は、画素電極６２及び対向電極６４の間に挟持され、両電極間の電圧に応じて溶媒７２内で泳動する。
【００５５】
図４及び図５に、第１の実施形態の電気泳動表示装置１０の動作説明図を示す。図４及び図５は、図２の画素の部分断面図を模式的に表したものであり、図４は、対向電極６４が画素電極６２より高電位に設定された状態、図５は、対向電極６４が画素電極６２より低電位に設定された状態を表している。なお、図４及び図５において、図２又は図３と同様の部分には同一符号を付し、適宜説明を省略する。
【００５６】
対向電極６４が画素電極６２より高電位となるように設定されたとき、図４に示すように、正に帯電された黒色の電気泳動粒子７４が画素電極６２に引き寄せられ、負に帯電された白色の電気泳動粒子７６が対向電極６４に引き寄せられる。このとき、対向電極６４側から見ると、白色が認識される。
【００５７】
これに対して、対向電極６４が画素電極６２より低電位となるように設定されたとき、図５に示すように、正に帯電された黒色の電気泳動粒子７４が対向電極６４に引き寄せられ、負に帯電された白色の電気泳動粒子７６が画素電極６２に引き寄せられる。このとき、対向電極６４側から見ると、黒色が認識される。
【００５８】
また、対向電極６４が画素電極６２と実質的に同電位となるように設定されたとき、マイクロカプセル７０内の電気泳動粒子７４，７６は電気泳動せず、従前の表示状態を保持することになる。
【００５９】
このような電気泳動表示装置１０において、画素の表示に先立ち、画素電極６２と対向電極６４との間に所定の電圧を印加して輝度をリセットすることで、画素の更新に必要な駆動波形データを参照するためのルックアップテーブルの規模を小さくすることができる。ところが、単純に輝度をリセットした場合、電気泳動粒子７４，７６のＤＣバランスが崩れてしまうという問題がある。ＤＣバランスが保たれている状態は、電気泳動粒子の印加電圧値及び印加時間の積分値が０になる状態であり、ＤＣバランスが崩れた状態は、上記の積分値が正又は負の値になる状態である。ＤＣバランスが崩れた状態では、ＤＣバランスのずれ量が次第に蓄積されていくため、印加電圧の極性依存等の電気泳動粒子の意図しない動きを招き、長期信頼性に悪影響を及ぼす。
【００６０】
そこで、第１の実施形態では、電圧を印加して電気泳動粒子７４，７６を所望の状態（第１の状態）にして画素の色を決定した後、ＤＣバランスが保たれた状態に戻すように当該画素に電圧を印加する。
【００６１】
図６に、第１の実施形態における電気泳動表示装置１０の駆動方法のフローの一例を示す。例えば、コントローラー２０が、走査線駆動回路３０、データ線駆動回路４０、及び共通電極駆動回路５０を制御し、以下のフローを実現する。
【００６２】
まず、コントローラー２０は、電気泳動表示装置１０の電源投入を監視する（ステップＳ１：Ｎ）。電源投入を検出したとき（ステップＳ１：Ｙ）、コントローラー２０は、輝度リセットステップとして輝度リセットフェーズに遷移して、走査線駆動回路３０、データ線駆動回路４０、及び共通電極駆動回路５０を制御する（ステップＳ２）。輝度リセットフェーズでは、走査線駆動回路３０、データ線駆動回路４０、及び共通電極駆動回路５０が、期間Ｔ０（第１の期間）にわたって黒表示用の駆動電圧を画素電極６２及び対向電極６４間に印加する。その後、走査線駆動回路３０、データ線駆動回路４０、及び共通電極駆動回路５０が、期間Ｔ０にわたって白表示用の駆動電圧を画素電極６２及び対向電極６４間に印加する。黒表示用の駆動電圧は、負（第１の極性）の駆動電圧「−ＶＳＨ」（第１の駆動電圧）であり、白表示用の駆動電圧は、正（第２の極性）の駆動電圧「＋ＶＳＨ」（第２の駆動電圧）である。
【００６３】
次に、コントローラー２０は、状態設定ステップとして色設定フェーズに遷移して、走査線駆動回路３０、データ線駆動回路４０、及び共通電極駆動回路５０を制御する（ステップＳ３）。色設定フェーズでは、走査線駆動回路３０、データ線駆動回路４０、及び共通電極駆動回路５０が、１又は複数種類の駆動電圧を画素電極６２及び対向電極６４間に印加して複数の電気泳動粒子７４，７６を所定の状態に設定することで、画素の色を設定する。
【００６４】
続いて、コントローラー２０は、ＤＣリセットステップとしてＤＣリセットフェーズに遷移して、走査線駆動回路３０、データ線駆動回路４０、及び共通電極駆動回路５０を制御する（ステップＳ４）。ＤＣリセットフェーズでは、走査線駆動回路３０、データ線駆動回路４０、及び共通電極駆動回路５０が、ステップＳ３における駆動電圧及び駆動時間の積分値をリセットする１又は複数種類の駆動電圧を所定の期間だけ画素電極６２及び対向電極６４間に印加する。ここで、積分値のリセットは、積分値を初期値である０に戻すことを意味する。具体的には、ＤＣリセットフェーズでは、ステップＳ３における駆動電圧及び駆動時間の積分値をＷ１、ステップＳ４における駆動電圧及び駆動時間の積分値をＷ２としたとき、Ｗ２＝−Ｗ１となるように駆動電圧を画素電極６２及び対向電極６４間に印加する。
【００６５】
その後、次のフレーム期間の画像を表示するとき（ステップＳ５：Ｙ）、コントローラー２０は、ステップＳ２に戻って、輝度リセットフェーズに遷移して走査線駆動回路３０、データ線駆動回路４０、及び共通電極駆動回路５０を制御する。即ち、ＤＣリセットフェーズは、次のフレーム期間の輝度リセットフェーズの直前に行われる。なお、ステップＳ２において、電源投入直後の輝度リセットフェーズにおける期間Ｔ０は、次のフレーム期間の画像を表示する場合に遷移する輝度リセットフェーズにおける期間Ｔ１より長いことが望ましい。
【００６６】
また、図６では、色設定フェーズの直前に輝度リセットフェーズが設けられているが、輝度リセットフェーズを行わない場合は、ＤＣリセットフェーズは、次のフレーム期間の色設定フェーズの直前に行われることが望ましい。これにより、ＤＣバランスが崩れた状態で色の設定を行うことがなくなり、長期信頼性を確保することができる。
【００６７】
ステップＳ５において次のフレーム期間の画像を表示せず（ステップＳ５：Ｎ）、一連の処理を終了しないとき（ステップＳ６：Ｎ）、コントローラー２０は、ステップＳ５に戻り、処理を継続する。
ステップＳ６において処理を終了するとき（ステップＳ６：Ｙ）、コントローラー２０は、一連の処理を終了する（エンド）。
【００６８】
以上のように、走査線駆動回路３０、データ線駆動回路４０、及び共通電極駆動回路５０は、上記の輝度リセットフェーズを実現する輝度リセット手段を備えることができる。また、走査線駆動回路３０、データ線駆動回路４０、及び共通電極駆動回路５０は、上記の色設定フェーズを実現する色設定手段（状態設定手段）を備えることができる。更に、走査線駆動回路３０、データ線駆動回路４０、及び共通電極駆動回路５０は、上記のＤＣリセットフェーズを実現するＤＣリセット手段を備えることができる。
【００６９】
図７に、第１の実施形態における電気泳動表示装置１０の駆動シーケンスの一例を示す。図７は、１画素分の駆動シーケンスに着目し、縦軸に画素電極６２及び対向電極６４間の電圧、横軸に時間を表す。なお、図７は、説明の便宜上、各フレーム期間における当該画素の選択期間を並べて図示し、各選択期間の長さを１Ｔと表記している。
【００７０】
白色を基準色とした場合、電源投入後、走査線駆動回路３０、データ線駆動回路４０、及び共通電極駆動回路５０は、輝度リセットフェーズとして、ＤＣバランスが保たれた状態で輝度をリセットする。この輝度リセットフェーズにおける駆動電圧及び駆動時間の積分値は、前半の期間Ｔ０において黒表示用の駆動電圧が印加され、−ＶＳＨ×Ｑ×１Ｔ（Ｔ０＝Ｑ×１Ｔ）となる。また、上記の積分値は、後半の期間Ｔ０において白表示用の駆動電圧が印加され、＋ＶＳＨ×Ｑ×１Ｔとなる。即ち、輝度リセットフェーズの終了時点Ｂ１における積分値の和は０になり、白色表示でＤＣバランスが保たれた状態となる。ここにおいて、Ｑは、期間Ｔ０の長さに対応した自然数を示す。
【００７１】
その後、走査線駆動回路３０、データ線駆動回路４０、及び共通電極駆動回路５０は、色設定フェーズとして、複数の選択期間にわたって１又は複数の駆動電圧を画素電極６２及び対向電極６４間に印加して色ＣＡ（第１の色）を表示する。この色設定フェーズにおける駆動電圧及び駆動時間の積分値は、−ＶＳＨ×４Ｔ＋ＶＳＨ×２Ｔ−ＶＳＨ×１Ｔ＝−３ＶＳＨ×１Ｔとなる。即ち、色設定フェーズの終了時点Ｂ２では、色ＣＡ表示でＤＣバランスが負側に崩れた状態となる。
【００７２】
次に、走査線駆動回路３０、データ線駆動回路４０、及び共通電極駆動回路５０は、ＤＣリセットフェーズとして、複数の選択期間にわたって１又は複数の駆動電圧を画素電極６２及び対向電極６４間に印加してＤＣバランスを０に戻す。このＤＣリセットフェーズでは、色設定フェーズにおける駆動電圧の印加順序と逆の順序で、各駆動電圧の極性を反転した駆動電圧が画素電極６２及び対向電極６４間に印加される。このＤＣリセットフェーズにおける駆動電圧及び駆動時間の積分値は、＋ＶＳＨ×１Ｔ−ＶＳＨ×２Ｔ＋ＶＳＨ×４Ｔ＝＋３ＶＳＨ×１Ｔとなる。即ち、ＤＣリセットフェーズの終了時点Ｂ３では、色ＣＡ´表示でＤＣバランスが保たれた状態となる。
【００７３】
続いて、次のフレーム期間の画像を表示するものとする。ＤＣリセットフェーズの終了時点Ｂ３では、電気泳動粒子７４，７６の移動と時間の特性が線形関係にない限り、輝度がリセットされない。そこで、走査線駆動回路３０、データ線駆動回路４０、及び共通電極駆動回路５０は、輝度リセットフェーズとして、ＤＣバランスが保たれた状態で輝度をリセットする。この輝度リセットフェーズでは、前半の期間Ｔ１において黒表示用の駆動電圧が印加され、駆動電圧及び駆動時間の積分値は、−ＶＳＨ×６Ｔとなり、後半の期間Ｔ１において白表示用の駆動電圧が印加され、上記の積分値は、＋ＶＳＨ×６Ｔとなる。即ち、輝度リセットフェーズの終了時点Ｂ４における積分値の和は０になり、白色表示でＤＣバランスが保たれた状態となる。なお、この輝度リセットフェーズにおいて、Ｔ１＝Ｔ０としてもよい。
【００７４】
その後、再び、走査線駆動回路３０、データ線駆動回路４０、及び共通電極駆動回路５０は、色設定フェーズとして、複数の選択期間にわたって１又は複数の駆動電圧を画素電極６２及び対向電極６４間に印加して色ＣＢ（第２の色）を表示する。即ち、色設定フェーズの終了時点Ｂ５では、色ＣＢ表示でＤＣバランスが例えば負側に崩れた状態となり、これ以降、同様にＤＣリセットフェーズが行われる。
【００７５】
なお、第１の実施形態では、ＤＣリセットフェーズにおいて、色設定フェーズにおける駆動電圧の印加順序と逆の順序で駆動電圧を印加していたが、ＤＣリセットフェーズでは色設定フェーズにおける駆動電圧及び駆動時間の積分値を相殺することができればよい。
【００７６】
図８に、第１の実施形態における電気泳動表示装置１０の駆動シーケンスの他の例を示す。図８において、図７と同様の部分には同一符号を付し、適宜説明を省略する。
【００７７】
図８における駆動シーケンスが図７における駆動シーケンスと異なる点は、ＤＣリセットフェーズである。即ち、図８における駆動シーケンスでは、ＤＣリセットフェーズにおいて、色設定フェーズにおける駆動電圧の印加順序と同じ順序で、各駆動電圧の極性を反転した駆動電圧が画素電極６２及び対向電極６４間に印加される。このＤＣリセットフェーズにおける駆動電圧及び駆動時間の積分値は、ＶＳＨ×４Ｔ−ＶＳＨ×２Ｔ＋ＶＳＨ×１Ｔ＝＋３ＶＳＨ×１Ｔとなる。即ち、ＤＣリセットフェーズの終了時点Ｂ３´では、色ＣＡ´表示でＤＣバランスが保たれた状態となる。
【００７８】
以上説明したように、第１の実施形態では、ＤＣリセットフェーズを設けるようにしたので、画素に色（階調）を設定した後に崩れる電気泳動粒子のＤＣバランスを保つことができ、長期信頼性を確保することができる。更に、輝度リセットフェーズにおいてＤＣバランスが保たれた状態で輝度をリセットするようにしたため、画素の書き換えの際に参照されるルックアップテーブルの規模を大幅に小さくすることができる。
【００７９】
２．  第２の実施形態
第１の実施形態では、マイクロカプセル７０が、溶媒７２と、電気泳動粒子７４，７６とを有し、２種類の駆動電圧で制御する例を説明したが、本発明に係る実施形態は、これに限定されるものではない。第２の実施形態では、マイクロカプセルが、溶媒と、互いに閾値が異なる複数の電気泳動粒子を有し、４種類の駆動電圧で制御する。以下では、説明の便宜上、第２の実施形態において、第１の実施形態と異なる点について説明する。
【００８０】
図９に、第２の実施形態における電気泳動素子を構成するマイクロカプセルの構成の概要を示す。第２の実施形態では、図２の電気泳動素子６６が図９に示すマイクロカプセル１７０により構成される。
【００８１】
第２の実施形態におけるマイクロカプセル１７０は、無着色で粘性を有する溶媒１７２と、黒色に着色された複数の電気泳動粒子１７４と、白色に着色された複数の電気泳動粒子１７６とを備えている。電気泳動粒子１７４，１７６は、正に帯電され、互いに閾値が異なる。電気泳動粒子１７４，１７６は、画素電極６２及び対向電極６４の間に挟持され、両電極間の電圧に応じて溶媒１７２内で泳動する。
【００８２】
また、第２の実施形態では、データ線駆動回路が、コントローラー２０からの制御によって、データ線Ｘ１，Ｘ２，・・・，Ｘｎの各々に、互いに閾値が異なる電気泳動粒子を制御するために５種類のデータ電圧を供給する。この場合、データ電圧は、基準電圧「ＧＮＤ」、高電位側電圧「＋Ｖ２」、「＋Ｖ１」（Ｖ２＝２×Ｖ１）、及び低電位側電圧「−Ｖ１」、「−Ｖ２」のいずれかである。
【００８３】
図１０に、第２の実施形態における電気泳動粒子１７４，１７６の閾値の説明図を示す。図１０は、非特許文献１と同様に、縦軸に電気泳動粒子の粒子位置、横軸に画素電極６２及び対向電極６４間の電界をとり、電気泳動粒子１７４，１７６の変化の一例を表す。
【００８４】
図１０では、電気泳動粒子１７６について、画素電極６２及び対向電極６４の一方に泳動を開始する電界の負側の閾値を「−Ｅｔｈ１」、正側の閾値を「＋Ｅｔｈ１」とし、特性Ｌ１として表している。
同様に、電気泳動粒子１７４について、画素電極６２及び対向電極６４の一方に泳動を開始する電界の負側の閾値を「−Ｅｔｈ２」、正側の閾値を「＋Ｅｔｈ２」（０＜Ｅｔｈ１＜Ｅｔｈ２）とし、特性Ｌ２として表している。
【００８５】
図１１〜図１３に、第２の実施形態の電気泳動表示装置の動作説明図を示す。図１１〜図１３において、図４、図５、及び図９と同様の部分には同一符号を付し、適宜説明を省略する。
【００８６】
画素電極６２及び対向電極６４間に電界「＋Ｅ２」を印加すると、電界「＋Ｅｔｈ２」より正側の電界が印加されるため、図１１に示すように、電気泳動粒子１７４，１７６は、対向電極６４に引き寄せられる。
【００８７】
図１１の状態から、画素電極６２及び対向電極６４間に電界「−Ｅ２」、「＋Ｅ１」を順番に印加すると、電気泳動粒子１７４，１７６が、一旦、画素電極６２に引き寄せられ、電気泳動粒子１７６が、対向電極６４に引き寄せられる。その結果、図１２に示すように、電気泳動粒子１７４は、画素電極６２に引き寄せられ、電気泳動粒子１７６は、対向電極６４に引き寄せられた状態となる。このとき、対向電極６４から見ると、白色が認識される。
【００８８】
図１１の状態から、画素電極６２及び対向電極６４間に電界「−Ｅ１」を印加すると、電気泳動粒子１７６が、画素電極６２に引き寄せられる。その結果、図１３に示すように、電気泳動粒子１７４は、対向電極６４に引き寄せられ、電気泳動粒子１７６は、画素電極６２に引き寄せられた状態となる。このとき、対向電極６４から見ると、黒色が認識される。
【００８９】
また、画素電極６２及び対向電極６４間に電界「−Ｅ０」以上で電界「＋Ｅ０」より小さい電界を印加した状態では、電気泳動粒子１７４，１７６は、泳動せず、従前の表示状態を維持する。
【００９０】
図１４に、第２の実施形態における電気泳動表示装置の駆動シーケンスの一例を示す。図１４において、電界「−Ｅ２」、「−Ｅ１」、「＋Ｅ１」、「＋Ｅ２」の各々に対応する画素電極６２及び対向電極６４間の駆動電圧が「−Ｖ２」、「−Ｖ１」、「＋Ｖ１」、「＋Ｖ２」であるものとする。図１４において、図７と同様の部分には同一符号を付し、適宜説明を省略する。
【００９１】
電源投入後、走査線駆動回路３０、データ線駆動回路４０、及び共通電極駆動回路５０は、輝度リセットフェーズとして、ＤＣバランスが保たれた状態で輝度をリセットする。図７と同様に、輝度リセットフェーズの終了時点Ｂ１１における積分値の和は０になり、ＤＣバランスが保たれた状態となる。
【００９２】
その後、走査線駆動回路３０、データ線駆動回路４０、及び共通電極駆動回路５０は、色設定フェーズとして、複数の選択期間にわたって１又は複数の駆動電圧を画素電極６２及び対向電極６４間に印加して色ＣＡ１を表示する。色設定フェーズでは、閾値の絶対値が大きい黒色の電気泳動粒子１７４の状態が設定された後、閾値の絶対値がより小さい白色の電気泳動粒子１７６の状態が設定される。この色設定フェーズにおける駆動電圧及び駆動時間の積分値は、−Ｖ２×４Ｔ＋Ｖ１×２Ｔ−Ｖ１×１Ｔ＝−７×Ｖ１×１Ｔとなる。即ち、色設定フェーズの終了時点Ｂ１２では、色ＣＡ１表示でＤＣバランスが負側に崩れた状態となる。
【００９３】
次に、走査線駆動回路３０、データ線駆動回路４０、及び共通電極駆動回路５０は、ＤＣリセットフェーズとして、複数の選択期間にわたって１又は複数の駆動電圧を画素電極６２及び対向電極６４間に印加してＤＣバランスを０に戻す。このＤＣリセットフェーズにおける駆動電圧及び駆動時間の積分値は、＋Ｖ１×１Ｔ−Ｖ１×２Ｔ＋Ｖ２×４Ｔ＝＋７×Ｖ１×１Ｔとなる。即ち、ＤＣリセットフェーズの終了時点Ｂ１３では、色ＣＡ１´表示でＤＣバランスが保たれた状態となる。
【００９４】
続いて、次のフレーム期間の画像を表示するとき、走査線駆動回路３０、データ線駆動回路４０、及び共通電極駆動回路５０は、輝度リセットフェーズとして、ＤＣバランスが保たれた状態で輝度をリセットする。即ち、図７と同様に、輝度リセットフェーズの終了時点Ｂ１４では、ＤＣバランスが保たれた状態となる。
【００９５】
その後、再び、走査線駆動回路３０、データ線駆動回路４０、及び共通電極駆動回路５０は、色設定フェーズとして、複数の選択期間にわたって１又は複数の駆動電圧を画素電極６２及び対向電極６４間に印加して色ＣＢ１を表示する。即ち、色設定フェーズの終了時点Ｂ１５では、色ＣＢ１表示でＤＣバランスが例えば負側に崩れた状態となり、これ以降、同様にＤＣリセットフェーズが行われる。
【００９６】
なお、第２の実施形態においても、第１の実施形態と同様に、ＤＣリセットフェーズでは色設定フェーズにおける駆動電圧及び駆動時間の積分値を相殺することができればよい。
【００９７】
図１５に、第２の実施形態における電気泳動表示装置の駆動シーケンスの他の例を示す。図１５において、図１４と同様の部分には同一符号を付し、適宜説明を省略する。
【００９８】
図１５における駆動シーケンスが図１４における駆動シーケンスと異なる点は、ＤＣリセットフェーズである。即ち、図１５における駆動シーケンスでは、ＤＣリセットフェーズにおいて、色設定フェーズにおける駆動電圧の印加順序と同じ順序で、各駆動電圧の極性を反転した駆動電圧が画素電極６２及び対向電極６４間に印加される。このＤＣリセットフェーズにおける駆動電圧及び駆動時間の積分値は、＋Ｖ２×４Ｔ−Ｖ１×２Ｔ＋Ｖ１×１Ｔ＝＋７×Ｖ１×１Ｔとなる。即ち、ＤＣリセットフェーズの終了時点Ｂ１３´では、色ＣＡ１´表示でＤＣバランスが保たれた状態となる。
【００９９】
以上説明したように、第２の実施形態においても第１の実施形態と同様に、画素に色を設定した後に崩れる電気泳動粒子のＤＣバランスを保つことができ、長期信頼性を確保することができる。更に、輝度リセットフェーズにおいてＤＣバランスが保たれた状態で輝度をリセットするようにしたため、画素の書き換えの際に参照されるルックアップテーブルの規模を大幅に小さくすることができる。
【０１００】
３．  第３の実施形態
本発明に係る実施形態は、第１の実施形態又は第２の実施形態に限定されるものではない。第３の実施形態では、マイクロカプセルが、溶媒と、互いに閾値が異なる複数の電気泳動粒子を有し、８種類の駆動電圧で制御する。以下では、説明の便宜上、第３の実施形態において、第１の実施形態と異なる点について説明する。
【０１０１】
図１６に、第３の実施形態における電気泳動素子を構成するマイクロカプセルの構成の概要を示す。第３の実施形態では、図２の電気泳動素子６６が図１６に示すマイクロカプセル２７０により構成される。
【０１０２】
第３の実施形態におけるマイクロカプセル２７０は、黒色に着色され粘性を有する溶媒２７２と、赤色に着色された複数の電気泳動粒子２７４と、緑色に着色された複数の電気泳動粒子２７６と、青色に着色された複数の電気泳動粒子２７８とを備えている。電気泳動粒子２７４，２７６，２７８は、正に帯電され、互いに閾値が異なる。溶媒２７２は、非帯電で黒色に着された複数の粒子を含む。電気泳動粒子２７４，２７６，２７８は、画素電極６２及び対向電極６４の間に挟持され、両電極間の電圧に応じて溶媒２７２内で泳動する。
【０１０３】
また、第３の実施形態では、データ線駆動回路が、コントローラー２０からの制御によって、データ線Ｘ１，Ｘ２，・・・，Ｘｎの各々に、互いに閾値が異なる電気泳動粒子を制御するために９種類のデータ電圧を供給する。この場合、データ電圧は、基準電圧「ＧＮＤ」、高電位側電圧「＋Ｖ４」、「＋Ｖ３」、「＋Ｖ２」、「＋Ｖ１」、及び低電位側電圧「−Ｖ１」、「−Ｖ２」、「−Ｖ３」、「−Ｖ４」のいずれかである。ここで、Ｖ４＝４×Ｖ１、Ｖ３＝３×Ｖ１、Ｖ２＝２×Ｖ１であるものとする。
【０１０４】
図１７に、第３の実施形態における電気泳動粒子２７４，２７６，２７８の閾値の説明図を示す。図１７は、非特許文献１と同様に、縦軸に電気泳動粒子の粒子位置、横軸に画素電極６２及び対向電極６４間の電界をとり、電気泳動粒子２７４，２７６，２７８の変化の一例を表す。
【０１０５】
図１７では、電気泳動粒子２７４について、画素電極６２及び対向電極６４の一方に泳動を開始する電界の負側の閾値を「−Ｅｔｈｒ」、正側閾値を「＋Ｅｔｈｒ」とし、特性Ｌｒとして表している。
同様に、電気泳動粒子２７６について、画素電極６２及び対向電極６４の一方に泳動を開始する電界の負側の閾値を「−Ｅｔｈｇ」、正側の閾値を「＋Ｅｔｈｇ」（０＜Ｅｔｈｇ＜Ｅｔｈｒ）とし、特性Ｌｇとして表している。
更に、電気泳動粒子２７８について、画素電極６２及び対向電極６４の一方に泳動を開始する電界の負側の閾値を「−Ｅｔｈｂ」、正側の閾値を「＋Ｅｔｈｂ」（０＜Ｅｔｈｂ＜Ｅｔｈｇ）とし、特性Ｌｂとして表している。
【０１０６】
図１８〜図２１に、第３の実施形態の電気泳動表示装置の動作説明図を示す。図１８〜図２１において、図４、図５、及び図１６と同様の部分には同一符号を付し、適宜説明を省略する。
【０１０７】
画素電極６２及び対向電極６４間に電界「＋Ｅ４」を印加すると、電界「＋Ｅｔｈｒ」より正側の電界が印加されるため、図１８に示すように、電気泳動粒子２７４，２７６，２７８は、対向電極６４に引き寄せられる。このとき、対向電極６４から見ると、赤色、緑色、及び青色の加法混色により白色が認識される。
【０１０８】
図１８の状態から、画素電極６２及び対向電極６４間に電界「−Ｅ４」を印加すると、電気泳動粒子２７４，２７６，２７８は、画素電極６２に引き寄せられる。その結果、図１９に示すように、電気泳動粒子２７４，２７６，２７８は、画素電極６２に引き寄せられた状態となる。このとき、対向電極６４から見ると、溶媒２７２の色である黒色が認識される。
【０１０９】
図１８の状態から、画素電極６２及び対向電極６４間に電界「−Ｅ３」を印加すると、電気泳動粒子２７６，２７８は、画素電極６２に引き寄せられる。その結果、図２０に示すように、電気泳動粒子２７４は、対向電極６４に引き寄せられ、電気泳動粒子２７６，２７８は、画素電極６２に引き寄せられた状態となる。このとき、対向電極６４から見ると、赤色が認識される。
【０１１０】
図１８の状態から、画素電極６２及び対向電極６４間に電界「−Ｅ３」、「＋Ｅ２」を順番に印加すると、電気泳動粒子２７６，２７８が、一旦、画素電極６２に引き寄せられた後、電気泳動粒子２７８が、対向電極６４に引き寄せられる。その結果、図２１に示すように、電気泳動粒子２７４，２７８は、対向電極６４に引き寄せられ、電気泳動粒子２７６は、画素電極６２に引き寄せられた状態となる。このとき、対向電極６４から見ると、加法混色によりマゼンタが認識される。
【０１１１】
また、画素電極６２及び対向電極６４間に電界「−Ｅ１」以上で電界「＋Ｅ１」より小さい電界を印加した状態では、電気泳動粒子２７４，２７６，２７８は、泳動せず、従前の表示状態を維持する。
【０１１２】
図２２に、第３の実施形態における電気泳動表示装置の駆動シーケンスの一例を示す。図２２において、電界「−Ｅ４」に対応する画素電極６２及び対向電極６４間の駆動電圧が「−Ｖ４」、電界「−Ｅ３」に対応する画素電極６２及び対向電極６４間の駆動電圧が「−Ｖ３」であるものとする。また、電界「−Ｅ２」に対応する画素電極６２及び対向電極６４間の駆動電圧が「−Ｖ２」、電界「−Ｅ１」に対応する画素電極６２及び対向電極６４間の駆動電圧が「−Ｖ１」であるものとする。また、電界「＋Ｅ１」に対応する画素電極６２及び対向電極６４間の駆動電圧が「＋Ｖ１」、電界「＋Ｅ２」に対応する画素電極６２及び対向電極６４間の駆動電圧が「＋Ｖ２」であるものとする。同様に、電界「＋Ｅ３」に対応する画素電極６２及び対向電極６４間の駆動電圧が「＋Ｖ３」、電界「＋Ｅ４」に対応する画素電極６２及び対向電極６４間の駆動電圧が「＋Ｖ４」であるものとする。図２２において、図７と同様の部分には同一符号を付し、適宜説明を省略する。
【０１１３】
電源投入後、走査線駆動回路３０、データ線駆動回路４０、及び共通電極駆動回路５０は、輝度リセットフェーズとして、ＤＣバランスが保たれた状態で輝度をリセットする。図７と同様に、輝度リセットフェーズの終了時点Ｂ２１における積分値の和は０になり、ＤＣバランスが保たれた状態となる。
【０１１４】
その後、走査線駆動回路３０、データ線駆動回路４０、及び共通電極駆動回路５０は、色設定フェーズとして、複数の選択期間にわたって１又は複数の駆動電圧を画素電極６２及び対向電極６４間に印加して色ＣＡ２を表示する。色設定フェーズでは、閾値の絶対値が大きい方から順番に、各色の電気泳動粒子の状態が設定される。この色設定フェーズにおける駆動電圧及び駆動時間の積分値は、−Ｖ３×４Ｔ＋Ｖ２×２Ｔ−Ｖ１×１Ｔ＝−９×Ｖ１×１Ｔとなる。即ち、色設定フェーズの終了時点Ｂ２２では、色ＣＡ２表示でＤＣバランスが負側に崩れた状態となる。
【０１１５】
次に、走査線駆動回路３０、データ線駆動回路４０、及び共通電極駆動回路５０は、ＤＣリセットフェーズとして、複数の選択期間にわたって１又は複数の駆動電圧を画素電極６２及び対向電極６４間に印加してＤＣバランスを０に戻す。このＤＣリセットフェーズにおける駆動電圧及び駆動時間の積分値は、＋Ｖ１×１Ｔ−Ｖ２×２Ｔ＋Ｖ３×４Ｔ＝＋９×Ｖ１×１Ｔとなる。即ち、ＤＣリセットフェーズの終了時点Ｂ２３では、色ＣＡ２´表示でＤＣバランスが保たれた状態となる。
【０１１６】
続いて、次のフレーム期間の画像を表示するとき、走査線駆動回路３０、データ線駆動回路４０、及び共通電極駆動回路５０は、輝度リセットフェーズとして、ＤＣバランスが保たれた状態で輝度をリセットする。即ち、図７と同様に、輝度リセットフェーズの終了時点Ｂ２４では、ＤＣバランスが保たれた状態となる。
【０１１７】
その後、再び、走査線駆動回路３０、データ線駆動回路４０、及び共通電極駆動回路５０は、色設定フェーズとして、複数の選択期間にわたって１又は複数の駆動電圧を画素電極６２及び対向電極６４間に印加して色ＣＢ２を表示する。即ち、色設定フェーズの終了時点Ｂ２５では、色ＣＢ２表示でＤＣバランスが例えば負側に崩れた状態となり、これ以降、同様にＤＣリセットフェーズが行われる。
【０１１８】
なお、第３の実施形態においても、第１の実施形態又は第２の実施形態と同様に、ＤＣリセットフェーズでは色設定フェーズにおける駆動電圧及び駆動時間の積分値を相殺することができればよい。
【０１１９】
図２３に、第３の実施形態における電気泳動表示装置の駆動シーケンスの他の例を示す。図２３において、図２２と同様の部分には同一符号を付し、適宜説明を省略する。
【０１２０】
図２３における駆動シーケンスが図２２における駆動シーケンスと異なる点は、ＤＣリセットフェーズである。即ち、図２３における駆動シーケンスでは、ＤＣリセットフェーズにおいて、色設定フェーズにおける駆動電圧の印加順序と同じ順序で、各駆動電圧の極性を反転した駆動電圧が画素電極６２及び対向電極６４間に印加される。このＤＣリセットフェーズにおける駆動電圧及び駆動時間の積分値は、＋Ｖ３×４Ｔ−Ｖ２×２Ｔ＋Ｖ１×１Ｔ＝＋９×Ｖ１×１Ｔとなる。即ち、ＤＣリセットフェーズの終了時点Ｂ２３´では、色ＣＡ２´表示でＤＣバランスが保たれた状態となる。
【０１２１】
以上説明したように、第３の実施形態においても第１の実施形態又は第２の実施形態と同様に、画素に色を設定した後に崩れる電気泳動粒子のＤＣバランスを保つことができ、長期信頼性を確保することができる。更に、輝度リセットフェーズにおいてＤＣバランスが保たれた状態で輝度をリセットするようにしたため、画素の書き換えの際に参照されるルックアップテーブルの規模を大幅に小さくすることができる。
【０１２２】
〔電子機器〕
第１の実施形態〜第３の実施形態における電気泳動表示装置は、種々の電子機器に適用することができる。
【０１２３】
図２４に、第１の実施形態〜第３の実施形態のいずれかの電気泳動表示装置を含む電子機器の構成例のブロック図を示す。電子機器３００は、ホスト３１０と、第１の実施形態〜第３の実施形態のいずれかが適用された電気泳動表示装置４００と、記憶部３２０と、操作部３３０と、通信部３４０とを備えている。
【０１２４】
ホスト３１０は、電気泳動表示装置４００を含め電子機器３００を構成する各部の動作を制御する。具体的には、ホスト３１０は、記憶部３２０等に予め記憶されるプログラムを実行することにより、電気泳動表示装置４００の動作を制御する。記憶部３２０は、ホスト３１０により実行されるプログラムやデータ、電気泳動表示装置４００に表示させる画像に対応した画像データを記憶するものである。このような記憶部３２０の機能は、読み出し専用メモリー（Read-Only Memory：ＲＯＭ）やランダムアクセスメモリー（Random Access Memory：ＲＡＭ）等により実現される。操作部３３０は、ユーザーが各種情報を入力するためのものであり、各種ボタンやキーボード等により実現される。通信部３４０は、外部との通信処理を行い、例えば電気泳動表示装置４００に表示させる画像に対応した画像データの受信を行う。
【０１２５】
このような電子機器３００としては、例えば電子カード（クレジットカード、ポイントカード等）、電子ペーパー、電子ノート、電子辞書、リモコン、時計、携帯電話機、電子書籍端末等の携帯情報端末、電卓等の種々の機器を挙げることができる。
【０１２６】
以上、本発明に係る電気光学装置の駆動方法、電気光学装置の駆動装置、電気光学装置、及び電子機器等を上記のいずれかの実施形態に基づいて説明したが、本発明は上記のいずれかの実施形態に限定されるものではない。例えば、その要旨を逸脱しない範囲において種々の態様において実施することが可能であり、次のような変形も可能である。
【０１２７】
（１）本発明は、上記の実施形態において説明した電気泳動粒子が着色される色、帯電する極性、マイクロカプセル内の電気泳動粒子の種類の数、駆動電圧の種類の数、駆動時間等に限定されるものではない。また、本発明は、上記の実施形態において説明した電極、溶媒や電気泳動粒子の材質に限定されるものではない。
【０１２８】
（２）第２の実施形態又は第３の実施形態において、互いに閾値が異なる複数の電気泳動粒子を用いる例を説明したが、本発明は、これに限定されるものではない。
【０１２９】
（３）上記の実施形態では、色を表示するための一例となる駆動シーケンスを説明したが、本発明は、これに限定されるものではなく、他の駆動シーケンスにより色を表示するものに適用することができる。
【０１３０】
（４）第３の実施形態において、Ｒ，Ｇ，Ｂの各色に着色され互いに閾値が異なる複数の電気泳動粒子を用いる例を説明したが、本発明は、これに限定されるものではない。本発明に係る実施形態は、シアン、マゼンタ、及びイエローの各色に着色され互いに閾値が異なる複数の電気泳動粒子を有する電気泳動素子を適用したものであってもよい。或いは、他の複数の色成分を構成する各色に着色され互いに閾値が異なる複数の電気泳動粒子を有する電気泳動素子を適用したものであってもよい。
【０１３１】
（５）上記の実施形態では、電気光学装置としての電気泳動表示装置として、マイクロカプセル型の電気泳動表示装置を例に説明したが、本発明は、これに限定されるものではない。
【０１３２】
（６）上記の実施形態において、本発明を電気光学装置の駆動方法、電気光学装置の駆動装置、電気光学装置、及び電子機器等として説明したが、本発明は、これに限定されるものではない。例えば、本発明は、電気泳動表示装置や、電気泳動表示装置の駆動方法であってもよい。
【符号の説明】
【０１３３】
１０，４００…電気泳動表示装置（電気光学装置）、  １２…画素領域、
２０…コントローラー、  ３０…走査線駆動回路、  ４０…データ線駆動回路、
５０…共通電極駆動回路、  ５２…共通電極線、  ６０…スイッチングトランジスター、
６２…画素電極（第１の電極）、  ６４…対向電極（第２の電極）、
６６…電気泳動素子、  ６８…保持容量、  ７０，１７０，２７０…マイクロカプセル、
７２，１７２，２７２…溶媒、
７４，７６，１７４，１７６，２７４，２７６，２７８…電気泳動粒子、
３００…電子機器、  ３１０…ホスト、  ３２０…記憶部、  ３３０…操作部、
３４０…通信部、  Ｐ１１〜Ｐｎ１，Ｐ１２〜Ｐｎ２，・・・，Ｐ１ｍ〜Ｐｎｍ…画素、
Ｘ１〜Ｘｎ…データ線、  Ｙ１〜Ｙｍ…走査線
【図１】
2014174516.tif 000003
【図２】
2014174516.tif 000004
【図３】
2014174516.tif 000005
【図４】
2014174516.tif 000006
【図５】
2014174516.tif 000007
【図６】
2014174516.tif 000008
【図７】
2014174516.tif 000009
【図８】
2014174516.tif 000010
【図９】
2014174516.tif 000011
【図１０】
2014174516.tif 000012
【図１１】
2014174516.tif 000013
【図１２】
2014174516.tif 000014
【図１３】
2014174516.tif 000015
【図１４】
2014174516.tif 000016
【図１５】
2014174516.tif 000017
【図１６】
2014174516.tif 000018
【図１７】
2014174516.tif 000019
【図１８】
2014174516.tif 000020
【図１９】
2014174516.tif 000021
【図２０】
2014174516.tif 000022
【図２１】
2014174516.tif 000023
【図２２】
2014174516.tif 000024
【図２３】
2014174516.tif 000025
【図２４】
2014174516.tif 000026